(57)【要約】  本発明は、ネットワーク要素内で少なくとも１つのプレシオクロナス信号を同期で交換するための方法および装置を含む。具体的には、本発明の一実施形態による方法は、少なくとも１つのプレシオクロナス信号を受信すること、およびその少なくとも１つのプレシオクロナス信号を少なくとも１つの同期信号にマップすることを含む。その少なくとも１つの同期信号は、少なくとも１つの仮想連結された信号を含み、その少なくとも１つの仮想連結された信号のそれぞれは、複数のサブ信号を含み、それらのサブ信号のそれぞれは、ネットワーク要素内で、同期で交換されるように適合される。
2008539662.tif 000002
【特許請求の範囲】
【請求項１】
ネットワーク要素内で少なくとも１つのプレシオクロナス信号を同期で交換するための方法であって、
前記少なくとも１つのプレシオクロナス信号を受信すること、および
前記少なくとも１つのプレシオクロナス信号を少なくとも１つの同期信号にマップすることを含み、前記少なくとも１つの同期信号は、少なくとも１つの仮想連結された信号を含み、前記少なくとも１つの仮想連結された信号のそれぞれは、複数のサブ信号を含み、前記サブ信号のそれぞれは、前記ネットワーク要素内で、同期で交換されるように適合される方法。
【請求項２】
前記少なくとも１つのプレシオクロナス信号を前記少なくとも１つの同期信号に前記マッピングすることは、
非同期レート適合を使用して、プレシオクロナス信号を、それぞれの非標準のデータ転送速度を有する同期信号に変換すること、および
少なくとも１つのクロック信号を使用して、前記それぞれの非標準のデータ転送速度を有する前記同期信号を、標準のデータ転送速度を有する同期信号に適合させることを含む請求項１に記載の方法。
【請求項３】
同期交換を使用して前記サブ信号のそれぞれを交換すること、および
前記少なくとも１つの仮想連結された信号を含む前記少なくとも１つの同期信号を、前記少なくとも１つのプレシオクロナス信号に再組み立てすることをさらに含む請求項１に記載の方法。
【請求項４】
前記少なくとも１つの仮想連結された信号を含む前記少なくとも１つの同期信号を、前記少なくとも１つのプレシオクロナス信号に前記再組み立てすることは、
少なくとも１つのクロック信号を使用して、標準のデータ転送速度を有する同期信号を、非標準のデータ転送速度を有する同期信号に適合させること、および
非同期レート適合処理を使用して、前記非標準のデータ転送速度を有する前記同期信号をプレシオクロナス信号に変換することを含む請求項３に記載の方法。
【請求項５】
前記少なくとも１つの同期信号は、少なくとも１つの仮想コンテナ信号を含み、前記少なくとも１つの仮想コンテナ信号は、少なくとも１つのＳＯＮＥＴ（同期光ネットワーク）ＳＴＳ（同期トランスポート信号）と、少なくとも１つのＳＤＨ（同期デジタル階層）ＶＣ（仮想コンテナ）信号の少なくともいずれかを含み、前記少なくとも１つのＳＯＮＥＴ（同期光ネットワーク）ＳＴＳ（同期トランスポート信号）は、少なくとも１つのＳＴＳ１−Ｙｖ信号を含み、前記少なくとも１つのＳＤＨ（同期デジタル階層）ＶＣ（仮想コンテナ）信号は、少なくとも１つのＶＣ４−Ｘｖ信号を含む請求項１に記載の方法。
【請求項６】
ネットワーク要素内で少なくとも１つのプレシオクロナス信号を同期で交換するための方法であって、
少なくとも１つの同期信号を受信し、前記少なくとも１つの同期信号は、少なくとも１つの仮想連結された信号を含み、前記少なくとも１つの仮想連結された信号のそれぞれは、複数のサブ信号を含み、前記サブ信号のそれぞれは、前記ネットワーク要素内で、同期で交換されるように適合されること、および
前記少なくとも１つの仮想連結された信号を含む前記少なくとも１つの同期信号を、前記少なくとも１つのプレシオクロナス信号に再組み立てすることを含む方法。
【請求項７】
前記再組み立てすることは、前記少なくとも１つのプレシオクロナス信号に関連する少なくとも１つの信号タイミングを保存することと、前記少なくとも１つのプレシオクロナス信号に関連する少なくとも１つの終端ノード上で遅延補償処理を実行する必要性を予防することの少なくともいずれかを提供する傾向にある仕方で実行される請求項６に記載の方法。
【請求項８】
前記少なくとも１つのプレシオクロナス信号を前記少なくとも１つの同期信号にマップし、前記少なくとも１つの同期信号は、少なくとも１つの仮想連結された信号を含み、前記少なくとも１つの仮想連結された信号のそれぞれは、複数のサブ信号を含み、前記サブ信号のそれぞれは、前記ネットワーク要素内で個々に交換されるように適合されること、および
同期交換を使用して、前記サブ信号のそれぞれを交換することをさらに含む請求項６に記載の方法。
【請求項９】
前記マップすることは、
非同期レート適合を使用して、プレシオクロナス信号を、非標準のデータ転送速度を有する同期信号に変換すること、および
少なくとも１つのクロック信号を使用して、前記非標準のデータ転送速度を有する前記同期信号を、標準のデータ転送速度を有する同期信号に適合させることを含み、
前記再組み立てすることは、
少なくとも１つのクロック信号を使用して、前記標準のデータ転送速度を有する前記同期信号を、非標準のデータ転送速度を有する前記同期信号に適合させること、および
非同期レート適合処理を使用して、前記非標準のデータ転送速度を有する前記同期信号を前記プレシオクロナス信号に変換することを含む請求項８に記載の方法。
【請求項１０】
ネットワーク要素内で少なくとも１つのプレシオクロナス信号を同期で交換するための装置であって、
前記少なくとも１つのプレシオクロナス信号を受信するための手段と、
前記少なくとも１つのプレシオクロナス信号を少なくとも１つの同期信号にマップするための手段とを含み、前記少なくとも１つの同期信号は、少なくとも１つの仮想連結された信号を含み、前記少なくとも１つの仮想連結された信号のそれぞれは、複数のサブ信号を含み、前記サブ信号のそれぞれは、前記ネットワーク要素内で、同期で交換されるように適合される装置。
【発明の詳細な説明】
【技術分野】
【０００１】
本発明は、通信ネットワークの分野に関し、より具体的には、プレシオクロナス信号の交換に関する。
【背景技術】
【０００２】
ＩＴＵ−Ｔ（国際電気通信連合−電気通信）Ｇ．モデム標準（すなわち、ＩＴＵ−Ｔ  Ｇ．７０７標準）などの既存の標準を使用して、ＯＴＮ（光トランスポート・ネットワーク）信号（例えば、光データ・ユニット（ＯＤＵｋ）信号）が、データ・トランスペアレントにトランスポートされ、交換されることが可能である（すなわち、元のビットのすべてが保存される）。つまり、仮想連結機能、および関連する機能の使用により、ＯＴＮ信号を構成する個々の信号が、ネットワークを通る異なる通信パスを使用して、ネットワークを伝送されることが可能になる。しかし、残念ながら、関連するジッタおよびタイミングが、ネットワーク全体の信号パスに関して保証されることは可能でない。
【０００３】
ＯＴＮ信号が、Ｇ．モデム標準を使用してネットワークをトランスポートされる際、元のＯＴＮ信号に関連する個々の信号は、個々に交換され、このため、ネットワークを通る異なるパスを伝送される（例えば、発信ネットワーク要素、終端ネットワーク要素間の様々なネットワーク要素を通って）。その結果、終端ノード上における元のＯＴＮ信号の再組み立ては、個々の信号がネットワークを伝送される、異なる時間を考慮に入れる遅延補償を要する。残念ながら、そのような遅延補償は、極めて複雑であり、したがって、実施する費用が高くつく。
【０００４】
このため、Ｇ．モデム標準に準拠して完全に実施されるシステムは、遅延補償を考慮に入れるのに、相当な労力を要する（要求される労力は、信号帯域幅の増加とともに増大する）。例えば、ＯＣ−１９２／ＳＴＭ−６４信号（すなわち、１０Ｇ信号）のための遅延補償（〜３２ミリ秒という要求される遅延に関する）、ＲＡＭ（ランダム・アクセス・メモリ）インタフェース、およびパフォーマンス要件を設計することは、特に困難である。さらに、ＯＤＵ３信号のマッピングは、現在、Ｇ．モデム標準によって定義されていない。というのは、アラインメントおよび遅延補償のために使用されるＨ４バイト符号化は、２５６個のサブ信号だけしかサポートしないからである（ところが、２７２個のサブ信号が、要求される）。したがって、Ｇ．モデム標準は、いくつかのアプリケーションに関して限界がある。
【発明の開示】
【発明が解決しようとする課題】
【０００５】
先行技術の様々な欠点に、ネットワーク要素内で少なくとも１つのプレシオクロナス信号を同期で交換するための方法および装置の発明を介して対処が行われる。具体的には、本発明の一実施形態による方法は、少なくとも１つのプレシオクロナス信号を受信すること、およびその少なくとも１つのプレシオクロナス信号を少なくとも１つの同期信号にマップすることを含む。その少なくとも１つの同期信号は、少なくとも１つの仮想連結された信号を含み、その少なくとも１つの仮想連結された信号のそれぞれは、複数のサブ信号を含み、それらのサブ信号のそれぞれは、ネットワーク要素内で、同期で交換されるように適合される。
【課題を解決するための手段】
【０００６】
一実施形態では、仮想連結された信号は、信号が、再組み立てのために評価されなければならない内在的な情報（例えば、特定のオーバヘッド・バイト）を有さないという点で、ＳＯＮＥＴ／ＳＤＨ標準の狭義での仮想連結された信号ではない。このため、一実施形態では、少なくとも１つのプレシオクロナス信号の再組み立ては、接続ルーティングの知識を使用して実行される。一実施形態では、少なくとも１つのプレシオクロナス信号の再組み立ては、遅延補償が要求されないという想定を使用して実行される。
本発明の教示は、添付の図面と併せて以下の詳細な説明を考慮することにより、容易に理解することができる。
【発明を実施するための最良の形態】
【０００７】
理解を容易にするために、可能な場合、それらの図に共通である同一の要素を示すのに、同一の参照符号が、使用されている。
本発明を、複数の混成光ネットワーク要素を含む通信ネットワーク・アーキテクチャの文脈で説明するが、本発明は、他のネットワーク、および他のネットワーク・トポロジにも容易に適用されることが可能である。一般に、本発明は、プレシオクロナス信号の同期信号への変換を可能にして、プレシオクロナス信号が、同期スイッチング・ファブリックを使用して交換されることが可能であるようにする。同様に、本発明は、他のネットワーク要素に向けて伝送するために、同期スイッチング・ファブリックを使用して交換される同期信号のプレシオクロナス信号への変換も可能にする。
【０００８】
一実施形態では、本発明は、非ＳＯＮＥＴ／ＳＤＨデータ転送速度信号をＳＯＮＥＴ／ＳＤＨデータ転送速度信号にマップし、同期スイッチング・ファブリックを使用して、ＳＯＮＥＴ／ＳＤＨデータ転送速度信号を同期で交換する。１つのそのような実施形態では、ＳＯＮＥＴ／ＳＤＨデータ転送速度信号は、同期仮想連結信号を含み、仮想連結は、ローカルで実施される（すなわち、同期交換のための同期信号の仮想連結は、他のネットワーク要素にはトランスペアレントである）。別の実施形態では、本発明は、別のネットワーク要素に向けて伝送するために、同期で交換されるＳＯＮＥＴ／ＳＤＨデータ転送速度信号を非ＳＯＮＥＴ／ＳＤＨデータ転送速度信号にマップする。
【０００９】
さらに、本発明は、プレシオクロナス信号に関連する信号タイミングを保存する傾向にあり、遅延補償の必要性を回避するような仕方で、プレシオクロナス信号の同期交換を可能にする。このため、本発明は、その結果、Ｈ４バイト同期処理の必要性を回避する。したがって、Ｈ４バイト同期処理の必要性を回避することにより、本発明は、ＩＴＵ−Ｔ  Ｇ．モデム標準によってサポートされることが可能でないＯＣ−７６８／ＳＴＭ−２５６信号（すなわち、４０Ｇ信号）、より大きいＳＯＮＥＴ／ＳＤＨ信号、および類似したＳＯＮＥＴ／ＳＤＨ信号のサポートをシームレスに可能にする。
【００１０】
一般に、従来のＳＯＮＥＴ（同期光ネットワーク）システムおよびＳＤＨ（同期デジタル階層）システムにおける現在の高位のクロス・コネクト・システムは、それぞれ、ＳＴＳ１（同期トランスポート信号レベル１）ベースのスイッチ、およびＶＣ４（仮想コンテナ・レベル４）ベースのスイッチとして実施される。そのようなシステムでは、関連するインタフェース・カード上の高位のポインタ処理の完了の後、完成したペイロード（すなわち、ＳＴＳ１／ＶＣ４信号の中でトランスポートされるべきカスタマ信号）が、完全に同期している。このため、交換は、カラム交換を使用して容易に実施される。一般に、そのような処理に関連するデバイスは、ＴＳＩ（タイムスロット・インタチェンジャ）である。
【００１１】
本明細書で説明する一実施形態では、本発明は、ＯＴＮ（光トランスポート・ネットワーク）信号（すなわち、ＯＤＵ１、ＯＤＵ２、ＯＤＵ３など）をＴＤＭ（時間分割多重）ドメイン（すなわち、ＳＯＮＥＴ、ＳＤＨなど）に適合させる。このため、本発明は、従来のＴＤＭ機器を使用する（すなわち、レガシーＳＯＮＥＴ／ＳＤＨ機器を使用する）ＯＴＮ信号の処理（例えば、クロスコネクト、保護スイッチングなど）を可能にする。つまり、既存のＴＤＭ機器内でＯＴＮ信号とＳＯＮＥＴ／ＳＤＨ信号の間の変換を可能にすることにより、本発明は、その結果、それほど複雑でないシステムを使用するＯＴＮ信号の交換を可能にする。このため、本発明の実施は、既存のＳＯＮＥＴ／ＳＤＨ機器を再使用して、プレシオクロナスＯＴＮ信号を交換する結果、システム費用の低減をもたらす。
【００１２】
図１は、通信ネットワーク・アーキテクチャの高レベル・ブロック図を示す。具体的には、図１の通信ネットワーク・アーキテクチャ１００は、ＨＯＮ（混成光ネットワーク）１１０と、複数のＯＡＮ（光アクセス・ネットワーク）１２０（まとめて、ＯＡＮ１２０）とを含む。図１に示すとおり、ＯＡＮ１２０は、ＯＴＮネットワーク、ＳＯＮＥＴネットワーク、ＳＤＨネットワーク、および当技術分野で知られている類似した光ネットワークの少なくとも１つを含む。このため、図示していないが、ＯＡＮ１２０は、様々な光ネットワーク要素と、関連する通信リンクとを含む。
【００１３】
図１に示すとおり、ＨＯＮ１１０は、複数のＣＬ（通信リンク）１１４（まとめて、ＣＬ１１４）を使用して通信する複数のＨＯＮＥ（混成光ネットワーク要素）１１２１〜１１２７（まとめて、ＨＯＮＥ１１２）を含む。ＯＡＮ１２０は、複数のＣＬ（通信リンク）１２２（まとめて、ＣＬ１２２）を使用して、ＨＯＮＥ１１２の少なくとも一部と通信する。このため、ＨＯＮＥ１１２は、ＯＴＮ信号、ＳＯＮＥＴ／ＳＤＨ信号、および当技術分野で知られている類似した光信号を受信するために動作可能である。同様に、ＨＯＮＥ１１２は、ＯＴＮ信号、ＳＯＮＥＴ／ＳＤＨ信号、および当技術分野で知られている類似した光信号を送信するためにも動作可能である。
【００１４】
一実施形態では、本発明は、プレシオクロナスＯＴＮ信号を同期ＳＯＮＥＴ／ＳＤＨ信号に変換し、それらの同期ＳＯＮＥＴ／ＳＤＨ信号を処理し（例えば、クロスコネクト、保護スイッチングなど）、それらの同期ＳＯＮＥＴ／ＳＤＨ信号をプレシオクロナスＯＴＮ信号に変換する。一実施形態では、プレシオクロナスＯＴＮ信号が、同期仮想コンテナ信号（例えば、ＳＯＮＥＴネットワークに関して、ＳＴＳ−３信号、ＳＴＳ−１信号、および類似した信号、ＳＤＨネットワークに関して、ＶＣ４信号、ＶＣ３信号、および類似した信号、ならびに類似した信号）に変換される。１つのそのような実施形態では、同期仮想コンテナ信号は、仮想連結される。
【００１５】
プレシオクロナス信号の同期交換が、ＳＯＮＥＴネットワークにおいて実行される一実施形態では、プレシオクロナスＯＴＮ信号は、同期ＳＴＳ１ベースの仮想コンテナ信号に変換される。一実施形態では、ＳＴＳ１仮想コンテナ信号は、ＳＴＳ１−Ｙｖ信号を含み、ただし、Ｙは、変換を実行するために要求されるサブ信号の数を含む。この実施形態では、同期ＳＴＳ１ベースの信号は、次に、ＳＴＳ１ベースのスイッチング・ファブリックにおいて交換される。この実施形態では、交換された同期ＳＴＳ１ベースの信号は、別のネットワーク要素に向けて伝送するために、次に、プレシオクロナスＯＴＮ信号に変換される。
【００１６】
プレシオクロナス信号の同期交換が、ＳＤＨネットワークにおいて実行される一実施形態では、プレシオクロナスＯＴＮ信号は、同期ＶＣ４ベースの仮想コンテナ信号に変換される。一実施形態では、ＶＣ４仮想コンテナ信号は、ＶＣ４−Ｘｖ信号を含み、ただし、Ｘは、変換を実行するために要求されるサブ信号の数を含む。この実施形態では、同期ＶＣ４ベースの信号は、次に、ＶＣ４ベースのスイッチング・ファブリックにおいて交換される。この実施形態では、交換された同期ＶＣ４ベースの信号は、別のネットワーク要素に向けて伝送するために、次に、プレシオクロナスＯＴＮ信号に変換される。
【００１７】
一実施形態では、プレシオクロナスＯＴＮ信号は、ＯＤＵ（光データ・ユニット）信号を含む。一実施形態では、ＯＤＵ信号は、ＯＤＵ１信号（すなわち、２．５Ｇ信号）、ＯＤＵ２信号（すなわち、１０Ｇ信号）、ＯＤＵ３信号（すなわち、４０Ｇ信号）、および類似したＯＤＵ信号を含む。この実施形態では、ＯＤＵ信号は、ＯＤＵｋ信号（ただし、ｋは、ｋ≧１であるように整数を含む）と表される。この実施形態では、プレシオクロナスＯＴＮ信号の同期ＳＴＳ１／ＶＣ４ベースの信号への変換は、プレシオクロナスＯＤＵｋ信号を同期ＳＴＳ１−Ｙｖ／ＶＣ４−Ｘｖ信号（ただし、Ｙ＝３Ｘ）に変換することを含み、ただし、ＹおよびＸは、ＳＯＮＥＴおよびＳＤＨに関する、そのような変換をそれぞれ実行するために要求されるサブ信号のそれぞれの数を含む。一実施形態では、同期ＳＴＳ１−Ｙｖ／ＶＣ４−Ｘｖ信号は、仮想連結された同期信号を含む。
【００１８】
例えば、ＳＯＮＥＴネットワークにおいて、プレシオクロナスＯＤＵ１信号が、同期ＳＴＳ１−５１ｖ信号に変換され、プレシオクロナスＯＤＵ２信号が、同期ＳＴＳ１−２０４ｖ信号に変換され、プレシオクロナスＯＤＵ３信号が、同期ＳＴＳ１−８１６ｖ信号に変換される。同様に、例えば、ＳＤＨネットワークにおいて、プレシオクロナスＯＤＵ１信号が、同期ＶＣ４−１７ｖ信号に変換され、プレシオクロナスＯＤＵ２信号が、同期ＶＣ４−６８ｖ信号に変換され、プレシオクロナスＯＤＵ３信号が、同期ＶＣ４−２７２ｖ信号に変換される。このため、一実施形態では、プレシオクロナス信号は、サブ信号の仮想連結を含む同期信号にマップされる。
【００１９】
同様に、この実施形態では、同期ＳＴＳ１／ＶＣ４ベースの信号のプレシオクロナスＯＴＮ信号への変換は、交換された同期ＳＴＳ１−Ｙｖ／ＶＣ４−Ｘｖ信号をプレシオクロナスＯＤＵｋ信号に変換することを含む。例えば、交換されたＳＴＳ１−１７ｖ信号が、ＯＤＵ１信号に変換され、交換されたＳＴＳ１−６８ｖ信号が、ＯＤＵ２信号に変換され、交換されたＳＴＳ１−２７２ｖ信号が、ＯＤＵ３信号に変換される。同様に、例えば交換されたＶＣ４−１７ｖ信号が、ＯＤＵ１信号に変換され、交換されたＶＣ４−６８ｖ信号が、ＯＤＵ２信号に変換され、交換されたＶＣ４−２７２ｖ信号が、ＯＤＵ３信号に変換される。このため、一実施形態では、サブ信号の仮想連結を含む同期信号が、マップ解除されて、プレシオクロナス信号にされる。
【００２０】
ｋ＝１、ｋ＝２、およびｋ＝３であるＯＤＵｋ信号に関して本明細書で説明するが、本発明は、より高いレートの信号（例えば、ｋ＞３であるＯＤＵｋ信号）の変換のために拡張可能であり、より高いレートの信号のクロス・コネクション、保護スイッチング、および類似した処理を可能にする。さらに、ＯＴＮ信号に関連して本明細書で説明するが、他のプレシオクロナス信号が、本発明を使用して、同期信号に変換されてもよい。同様に、ＳＯＮＥＴ／ＳＤＨ仮想コンテナ信号（例えば、ＳＯＮＥＴに関して、ＳＴＳ１−５１ｖ信号、ＳＴＳ１−２０４ｖ信号、およびＳＴＳ１−８１６ｖ信号、ＳＤＨに関して、ＶＣ４−１７ｖ信号、ＶＣ４−６８ｖ信号、およびＶＣ４−２７２ｖ信号）に関して本明細書で説明するが、本発明は、プレシオクロナス信号を同期で交換するために、他の様々な同期信号を利用することができる。
【００２１】
図２は、図１に示されるＨＯＮＥ（混成光ネットワーク要素）の高レベル・ブロック図を示す。具体的には、図２に示すとおり、ＨＯＮＥ１１２は、ＯＩＩ（ＯＴＮイングレス・インタフェース）２１０と、ＯＥＩ（ＯＴＮイグレス・インタフェース）２２０と、ＳＩＩ（ＳＯＮＥＴ／ＳＤＨイングレス・インタフェース）２３０と、ＳＥＩ（ＳＯＮＥＴ／ＳＤＨイグレス・インタフェース）２４０と、ＳＳＦ（同期スイッチング・ファブリック）２５０とを含む。図２に示すとおり、ＯＩＩ２１０は、複数のＯＩＬＣ（ＯＴＮイングレス・ライン・カード）２１２１〜２１２Ｎ（まとめて、ＯＩＬＣ２１２）を含み、ＯＥＩ２２０は、複数のＯＥＬＣ（ＯＴＮイグレス・ライン・カード）２２２１〜２２２Ｎ（まとめて、ＯＥＬＣ２２２）を含み、ＳＩＩ２３０は、複数のＳＩＬＣ（ＳＯＮＥＴ／ＳＤＨイングレス・ライン・カード）２３２１〜２３２Ｎ（まとめて、ＳＩＬＣ２３２）を含み、ＳＥＩ２４０は、複数のＳＥＬＣ（ＳＯＮＥＴ／ＳＤＨイグレス・ライン・カード）２４２１〜２４２Ｎ（まとめて、ＳＥＬＣ２４２）を含む。
【００２２】
図２に示すとおり、ＯＩＬＣ２１０が、それぞれの複数のＯＩＬ（ＯＴＮイングレス・リンク）２１４１〜２１４Ｎ（まとめて、ＯＩＬ２１４）を介して、ＯＴＮベースの信号を受信する。ＯＩＬＣ２１０は、同期交換（ＳＯＮＥＴの場合、ＳＴＳ１ベースの、ＳＤＨの場合、ＶＣ４ベースの）のために、ＯＴＮ信号をＳＴＳ１−Ｙｖ／ＶＣ４−Ｘｖ信号に変換し、それらのＳＴＳ１−Ｙｖ／ＶＣ４−Ｘｖ信号をＳＳＦ２５０に伝送する。ＯＥＬＣ２２０が、交換されたＳＴＳ１−Ｙｖ／ＶＣ４−Ｘｖ信号をＳＳＦ２５０から受信する。ＯＥＬＣ２２０は、それらのＳＴＳ１−Ｙｖ／ＶＣ４−Ｘｖ信号をＯＴＮ信号に変換し、それらのＯＴＮ信号を、それぞれの複数のＯＥＬ（ＯＴＮイグレス・リンク）２２４１〜２２４Ｎ（まとめて、ＯＥＬ２２４）を介して伝送する。
【００２３】
同様に、図２に示すとおり、ＳＩＬＣ２３２が、それぞれ複数のＳＩＬ（ＳＯＮＥＴ／ＳＤＨイングレス・リンク）２３４１〜２３４Ｎ（まとめて、ＳＩＬ２３４）を介して、ＳＯＮＥＴ／ＳＤＨ信号を受信する。ＳＩＬＣ２３２は、同期交換（ＳＯＮＥＴの場合、ＳＴＳ１ベースの、ＳＤＨの場合、ＶＣ４ベースの）のために、それらのＳＯＮＥＴ／ＳＤＨ信号をＳＴＳ１／ＶＣ４信号に変換し、それらのＳＴＳ１／ＶＣ４信号をＳＳＦ２５０に転送する。ＳＥＬＣ２４２が、交換されたＳＴＳ１／ＶＣ４信号をＳＳＦ２５０から受信する。ＳＥＬＣ２４２は、それらのＳＴＳ１／ＶＣ４信号をＳＯＮＥＴ／ＳＤＨ信号に変換し、それらのＳＯＮＥＴ／ＳＤＨ信号を、それぞれの複数のＳＥＬ（ＳＯＮＥＴ／ＳＤＨイグレス・リンク）２４４１〜２４４Ｎ（まとめて、ＳＩＬ２４４）を介して伝送する。
【００２４】
ＯＩＬＣ２１２およびＯＥＬＣ２２２に関連して本明細書で説明するとおり、ＯＴＮ信号は、ＯＤＵ１信号、ＯＤＵ２信号、ＯＤＵ３信号、および当技術分野で知られている類似したＯＤＵｋ信号などのＯＤＵｋ信号を含む。同様に、ＳＩＬＣ２３２、および関連するＳＥＬＣ２４２に関して本明細書で説明するとおり、ＳＯＮＥＴ／ＳＤＨ信号は、ＯＣ−４８／ＳＴＭ−１６信号、ＯＣ−１９２／ＳＴＭ−６４信号、ＯＣ−７６８／ＳＴＭ−２５６信号、および当技術分野で知られている類似したＳＯＮＥＴ／ＳＤＨ信号を含む。さらに、一実施形態では、ＳＴＳ１／ＶＣ４ベースの交換（すなわち、同期仮想連結ＳＴＳ１−Ｙｖ／ＶＣ４−Ｘｖ信号の交換）が、少なくとも１つのＴＳＩ（タイムスロット・インタチェンジャ）を使用して実行される。
【００２５】
一般に、ＳＳＦは、同期交換を実行するために動作可能なスイッチング・ファブリックを含む。一実施形態では、ＳＳＦ２５０は、少なくとも１つのＴＳＩを含む。一実施形態では、ＳＳＦ２５０は、少なくとも１つのＣＭＯＳ（相補型金属酸化膜半導体）特定用途向け集積回路（ＡＳＩＣ）を含む。ＨＯＭＥ１１２が、ＳＯＮＥＴベースのネットワーク要素を含む一実施形態では、ＳＳＦ２５０は、ＳＴＳ１ベースのＩＣを含むことが可能である。ＨＯＮＥ１１２が、ＳＤＨベースのネットワーク要素を含む別の実施形態では、ＳＳＦ２５０は、ＶＣ４ベースのＩＣを含むことが可能である。ＨＯＮＥ１１２が、混成ＳＯＮＥＴ／ＳＤＨベースのネットワーク要素を含む別の実施形態では、ＳＳＦ２５０は、ＳＴＳ１ベースのＩＣと、ＶＣ４ベースのＩＣとを含むことが可能である。
【００２６】
図２に示し、本明細書で説明するとおり、ＨＯＮＥ１１２は、ＳＯＮＥＴ／ＳＤＨ混成光ネットワーク要素を含む。一実施形態では、ＨＯＮＥ１１２は、ＳＯＮＥＴ  ＨＯＮＥとＳＤＨ  ＨＯＮＥのいずれかとして実施される。図２に示すとおり、ＨＯＮＥ１１２は、混成光ネットワーク要素の論理表現を含む。このため、物理的に別個のライン・カードとして図示しているが、一実施形態では、ライン・カードのイングレス−イグレス・ペアは、物理的に、単一のライン・カード上で実施される。例えば、ＯＩＬＣ２１２１とＯＥＬＣ２２２１が、単一の物理的ライン・カードとして実施され、ＯＩＬＣ２１２２とＯＥＬＣ２２２２が、単一の物理的ライン・カードとして実施され、ＳＩＬＣ２３２１とＳＥＬＣ２４２１が、単一の物理的ライン・カードとして実施されるといった具合である。ＯＴＮライン・カードの機能ブロック図を、図３に関連して示し、本明細書で説明する。
【００２７】
図３は、光トランスポート・ネットワーク・ライン・カードの高レベル・ブロック図を示す。具体的には、図３のＯＴＮライン・カード３００は、ＩＰ（イングレス部）３０１と、ＥＰ（イグレス部）３１１とを含む。図３に示すとおり、イングレス部３０１は、図２に示すＯＩＬＣ２１２の１つのＯＩＬＣの機能表現を含む。このため、図３に示すＯＴＮイングレス・リンクは、図２に示すＯＩＬ２１４の１つを含む。同様に、図３に示すとおり、イグレス部３１１は、図２に示すＯＥＬＣ２２２の１つのＯＥＬＣの機能表現を含む。このため、図３に示すＯＴＮイグレス・リンクは、図２に示すＯＥＬ２２４の１つを含む。
【００２８】
図３に示すとおり、ＩＰ３０１は、ＯＴＮ受信機３０２と、シンクロナイザ３０４と、アダプタ３０６と、ＰＯＨ（パス・オーバヘッド）インサータ３０８とを含む。同様に、ＥＰ３１１は、ＰＯＨ（パス・オーバヘッド）エクストラクタ３１２と、アダプタ３１４と、デシンクロナイザ３１６と、ＯＴＮ送信機３１８とを含む。個別のＩＰ３０１と、個別のＥＰ３１１とを含むように図示し、説明するが、ＩＰ３０１の諸機能の少なくとも一部と、ＥＰ３１１の諸機能の少なくとも一部とは、単一の物理モジュールとして実施されてもよいことが、当業者には理解されよう。
【００２９】
ＯＴＮ受信機３０２が、ＯＴＮイングレス・リンクを介して、プレシオクロナスＯＴＮ信号（例えば、ＯＤＵｋ信号）を受信する。ＯＴＮ受信機３０２は、それらのＯＴＮ信号を処理する（例えば、ＯＴＮ受信機３０２は、それらのＯＴＮ信号からＯＤＵｋ信号を抽出する）。一実施形態では、本明細書で説明するとおり、ＯＴＮ信号は、それぞれのＯＤＵｋ信号を含む。この実施形態では、ＯＴＮ受信機３０２は、プレシオクロナスＯＤＵｋ信号をシンクロナイザ３０４に伝送する。一般に、ＯＴＮ受信機の動作は、当技術分野でよく知られている。
【００３０】
シンクロナイザ３０４が、ＯＴＮ受信機３０２から、それらのＯＤＵｋ信号を受信する。シンクロナイザ３０４は、プレシオクロナスＯＤＵｋ信号を、対応する同期ＳＴＳ１−Ｙｖ／ＶＣ４−Ｘｖ信号にマップする。本明細書で説明するとおり、一実施形態では、ＳＴＳ１−Ｙｖは、Ｙ個のサブ信号の仮想連結を含み、ＶＣ４−Ｘｖは、Ｘ個のサブ信号の仮想連結を含む。一実施形態では、シンクロナイザ３０４は、受信されたＯＤＵｋ信号のタイミングを変換して、受信されたＯＤＵｋ信号が、ライン・クロックに応じた信号タイミングを含むようにし、ＳＴＳ１−Ｙｖ／ＶＣ４−Ｘｖ信号が、システム・クロックに応じた信号タイミングを含むようにする。シンクロナイザ３０４は、もたらされる同期仮想連結ＳＴＳ１−Ｙｖ／ＶＣ４−Ｘｖ信号をアダプタ３０６に伝送する。
【００３１】
一実施形態では、シンクロナイザ３０４は、非同期レート適合を使用して、プレシオクロナスＯＤＵｋ信号を同期ＳＴＳ１−Ｙｖ／ＶＣ４−Ｘｖ信号に変換する。この実施形態では、シンクロナイザ３０４によって実行される非同期レート適合の結果、シンクロナイザ３０４から出力される同期ＳＴＳ１−Ｙｖ／ＶＣ４−Ｘｖ信号の各信号の帯域幅は、シンクロナイザ３０４に入力される、関連するＯＤＵｋ信号の各信号の帯域幅より大きい。このため、シンクロナイザ３０４によって実行される非同期レート適合の結果、アダプタ３０６によってシンクロナイザ３０４から受信されるＳＴＳ１−Ｙｖ／ＶＣ４−Ｘｖ信号は、非ＳＯＮＥＴ／ＳＤＨデータ転送速度ＳＴＳ１−Ｙｖ／ＶＣ４−Ｘｖ信号を含む。
【００３２】
アダプタ３０６は、シンクロナイザ３０４から、非ＳＯＮＥＴ／ＳＤＨデータ転送速度ＳＴＳ１−Ｙｖ／ＶＣ４−Ｘｖ信号を受信し、それぞれのＳＯＮＥＴ／ＳＤＨデータ転送速度ＳＴＳ１−Ｙｖ／ＶＣ４−Ｘｖ信号を生じるように、非ＳＯＮＥＴ／ＳＤＨデータ転送速度ＳＴＳ１−Ｙｖ／ＶＣ４−Ｘｖ信号を適合させる。一般に、非ＳＯＮＥＴ／ＳＤＨデータ転送速度信号は、標準のＳＯＮＥＴ／ＳＤＨデータ転送速度以外のデータ転送速度を有する信号を含み、ＳＯＮＥＴ／ＳＤＨデータ転送速度信号は、標準のＳＯＮＥＴ／ＳＤＨデータ転送速度を有する信号を含む。
【００３３】
図３に示すとおり、アダプタ３０６は、非ＳＯＮＥＴ／ＳＤＨデータ転送速度信号を受信するために動作可能な非ＳＯＮＥＴ／ＳＤＨデータ転送速度入力インタフェース３０６ＩＮと、ＳＯＮＥＴ／ＳＤＨデータ転送速度信号を送信するために動作可能なＳＯＮＥＴ／ＳＤＨデータ転送速度出力インタフェース３０６ＯＵＴとを含む。一実施形態では、非ＳＯＮＥＴ／ＳＤＨデータ転送速度入力インタフェース３０６ＩＮは、第１のクロック速度（例えば、イングレス・ライン速度）で動作し、ＳＯＮＥＴ／ＳＤＨデータ転送速度出力インタフェース３０６ＯＵＴは、第２のクロック速度（例えば、イグレス・ライン速度）で動作する。
【００３４】
アダプタ３０６によって出力される信号は、同期ＳＯＮＥＴ／ＳＤＨデータ転送速度ＳＴＳ１−Ｙｖ／ＶＣ４−Ｘｖ信号を含む。さらに、本明細書で説明するとおり、ＳＴＳ１−Ｙｖ／ＶＣ４−Ｘｖ信号は、それぞれの複数のサブ信号（ＳＴＳ１ベースの信号の場合、Ｙ個のサブ信号、ＶＣ４ベースの信号の場合、Ｘ個のサブ信号）を含む仮想連結された信号を含む。一実施形態では、アダプタ３０６は、同期ＳＯＮＥＴ／ＳＤＨデータ転送速度ＳＴＳ１−Ｙｖ／ＶＣ４−Ｘｖ信号をＰＯＨインサータ３０８に伝送する。別の実施形態では、アダプタ３０６は、オプションとして、同期ＳＯＮＥＴ／ＳＤＨデータ転送速度ＳＴＳ１−Ｙｖ／ＶＣ４−Ｘｖ信号をＳＳＦ２５０に伝送する。
【００３５】
ＰＯＨインサータ３０８は、アダプタ３０６から、それらの同期ＳＯＮＥＴ／ＳＤＨデータ転送速度ＳＴＳ１−Ｙｖ／ＶＣ４−Ｘｖ信号を受信する。ＰＯＨインサータ３０８は、同期ＳＯＮＥＴ／ＳＤＨデータ転送速度ＶＣ４−Ｘｖ信号を交換する際に、ＳＳＦ２５０によって使用されるように、オーバヘッド・データを挿入する。一実施形態では、例えば、ＰＯＨインサータ３０８は、パス・オーバヘッド・バイトの一部分を固定値に設定する。ＰＯＨインサータ３０８は、同期交換（すなわち、ＳＯＮＥＴの場合、ＳＴＳ１ベースの、ＳＤＨの場合、ＶＣ４ベースの）のために、同期ＳＯＮＥＴ／ＳＤＨデータ転送速度ＳＴＳ１−Ｙｖ／ＶＣ４−Ｘｖ信号をＳＳＦ２５０に伝送する。
【００３６】
ＳＳＦ２５０は、ＰＯＨインサータ３０８の１つから、さらに、オプションとして、アダプタ３０６から、それらの同期ＳＯＮＥＴ／ＳＤＨデータ転送速度ＳＴＳ１−Ｙｖ／ＶＣ４−Ｘｖ信号を受信する。一実施形態では、ＳＳＦ２５０による同期ＳＯＮＥＴ／ＳＤＨデータ転送速度ＳＴＳ１−Ｙｖ／ＶＣ４−Ｘｖ信号の同期交換は、ＳＴＳ１−Ｙｖ／ＶＣ４−Ｘｖ信号を構成する仮想連結されたサブ信号を交換することを含む。例えば、ＳＯＮＥＴベースのＳＴＳ１スイッチング・ファブリックに関して、関連するＳＴＳ１−５１ｖ同期信号を形成するように仮想連結された５１の個々のサブ信号が、個別に交換される。同様に、例えば、ＳＤＨベースのＶＣ４スイッチング・ファブリックに関して、関連するＶＣ４−１７ｖ同期信号を形成するように仮想連結された１７の個々のサブ信号が、個別に交換される。
【００３７】
このため、ＳＳＦ２５０は、同期信号の同期交換を実行し、それらの同期信号は、同期で交換されるように適合されたそれぞれの複数のサブ信号を含む仮想連結された信号を含む。一実施形態では、本発明による、プレシオクロナス信号の同期信号へのマッピングにより、プレシオクロナス信号に関連するそれぞれの信号タイミングが、保存されることが可能になる。別の実施形態では、本発明による、プレシオクロナス信号の同期信号へのマッピングは、プレシオクロナス信号に関連する終端ノードにおいて遅延補償を実行する必要性を回避する。
【００３８】
ＳＳＦ２５０が、アダプタ３０６から同期ＳＯＮＥＴ／ＳＤＨデータ転送速度ＳＴＳ１−Ｙｖ／ＶＣ４−Ｘｖ信号を受信する（すなわち、ＰＯＨが、同期交換のために挿入されなかった）一実施形態では、ＳＳＦ２５０は、交換された同期ＳＯＮＥＴ／ＳＤＨデータ転送速度ＳＴＳ１−Ｙｖ／ＶＣ４−Ｘｖ信号をアダプタ３１４に直接に伝送する。ＳＳＦ２５０が、ＰＯＨインサータ３０８から同期ＳＯＮＥＴ／ＳＤＨデータ転送速度ＳＴＳ１−Ｙｖ／ＶＣ４−Ｘｖ信号を受信する（すなわち、ＰＯＨが、同期交換のために挿入されている）別の実施形態では、ＳＳＦ２５０は、交換された同期ＳＯＮＥＴ／ＳＤＨデータ転送速度ＳＴＳ１−Ｙｖ／ＶＣ４−Ｘｖ信号をＰＯＨエクストラクタ３１２に伝送する。
【００３９】
ＰＯＨエクストラクタ３１２が、交換された同期ＳＯＮＥＴ／ＳＤＨデータ転送速度ＳＴＳ１−Ｙｖ／ＶＣ４−Ｘｖ信号をＳＳＦ２５０から受信する。ＰＯＨエクストラクタ３１２は、ＳＳＦ２５０によるＳＴＳ１−Ｙｖ／ＶＣ４−Ｘｖ信号の同期交換に先立って、ＰＯＨインサータ３０８によって挿入されたオーバヘッド・データ（すなわち、パス・オーバヘッド・データ）を抽出する。一実施形態では、パス・オーバヘッド抽出は、パス・オーバヘッド・バイト（最初に、ＰＯＨインサータ３０８によって設定された）の一部分を以前の値にリセットすることを含む。ＰＯＨエクストラクタ３１２は、同期ＳＯＮＥＴ／ＳＤＨデータ転送速度ＳＴＳ１−Ｙｖ／ＶＣ４−Ｘｖ信号をアダプタ３１４に伝送する。
【００４０】
アダプタ３１４が、ＰＯＨエクストラクタ３１２から、それらの同期ＳＯＮＥＴ／ＳＤＨデータ転送速度ＳＴＳ１−Ｙｖ／ＶＣ４−Ｘｖ信号を受信する。アダプタ３１４は、それらの同期ＳＯＮＥＴ／ＳＤＨデータ転送速度ＳＴＳ１−Ｙｖ／ＶＣ４−Ｘｖ信号を、それぞれの同期の非ＳＯＮＥＴ／ＳＤＨデータ転送速度ＳＴＳ１−Ｙｖ／ＶＣ４−Ｘｖ信号に変換する。一実施形態では、アダプタ３１４は、第１のクロック速度（例えば、イングレス・ライン速度）で動作するＳＯＮＥＴ／ＳＤＨデータ転送速度入力インタフェース３１２ＩＮと、第２のクロック速度（例えば、イグレス・ライン速度）で動作する非ＳＯＮＥＴ／ＳＤＨデータ転送速度出力インタフェース３１４ＯＵＴとを含む。アダプタ３１４によって出力される信号は、同期の非ＳＯＮＥＴ／ＳＤＨデータ転送速度ＳＴＳ１−Ｙｖ／ＶＣ４−Ｘｖ信号を含む。アダプタ３１４は、同期の非ＳＯＮＥＴ／ＳＤＨデータ転送速度ＳＴＳ１−Ｙｖ／ＶＣ４−Ｘｖ信号をデシンクロナイザ３１６に伝送する。
【００４１】
デシンクロナイザ３１６が、それらの非ＳＯＮＥＴ／ＳＤＨデータ転送速度ＳＴＳ１−Ｙｖ／ＶＣ４−Ｘｖ信号を受信する。デシンクロナイザ３１６は、それらの同期の非ＳＯＮＥＴ／ＳＤＨデータ転送速度ＳＴＳ１−Ｙｖ／ＶＣ４−Ｘｖ信号を対応するプレシオクロナスＯＤＵｋ信号に変換する。一実施形態では、デシンクロナイザ３１６は、以前にマップされた非ＳＯＮＥＴ／ＳＤＨデータ転送速度ＳＴＳ１−Ｙｖ／ＶＣ４−Ｘｖ信号を再組み立てすることにより、同期の非ＳＯＮＥＴ／ＳＤＨデータ転送速度ＳＴＳ１−Ｙｖ／ＶＣ４−Ｘｖ信号をプレシオクロナスＯＤＵｋ信号に変換する。一実施形態では、デシンクロナイザ３１６は、非同期レート適合処理を使用して、同期の非ＳＯＮＥＴ／ＳＤＨデータ転送速度ＳＴＳ１−Ｙｖ／ＶＣ４−Ｘｖ信号をプレシオクロナスＯＤＵｋ信号に変換する。一実施形態では、再組み立ては、接続ルーティング情報を使用して実行される。１つのそのような実施形態では、接続ルーティング情報は、ＳＳＦ２５０を経由してルーティングされる信号が伝送されるパスに関連する構成などの情報を含む。デシンクロナイザ３１６は、プレシオクロナスでＯＤＵｋ信号をＯＴＮ送信機３１８に伝送する。
【００４２】
ＯＴＮ送信機３１８が、デシンクロナイザ３１６から、それらのＯＤＵｋ信号を受信する。一実施形態では、ＯＴＮ送信機３１８は、プレシオクロナスＯＤＵｋ信号を、関連するプレシオクロナスＯＴＮ信号にマップする。一実施形態では、ＯＴＮ送信機３１８は、ＯＤＵｋ信号を電気信号から、それぞれの光信号に変換する。ＯＴＮ送信機３１８は、関連するＯＴＮイグレス・リンクを介して、それらのプレシオクロナスＯＴＮ信号を他の光ネットワーク要素に向けて送信する。一実施形態では、ＯＴＮ送信機３１８は、ＢＤＩ（後方障害指示）、ＢＥＩ（後方誤り指示）、および当技術分野で知られている類似した誤り指示をＯＴＮ受信機３０２に提供する。
【００４３】
このため、プレシオクロナス信号の同期信号へのマッピングに関して本明細書で説明するとおり、一実施形態では、本発明による、プレシオクロナス信号を形成する同期信号の再組み立てにより、プレシオクロナス信号に関連するそれぞれの信号タイミングが、保存されることが可能になる。別の実施形態では、本発明による、プレシオクロナス信号を形成する同期信号の再組み立ては、プレシオクロナス信号に関連する終端ノードにおける遅延補償の必要性を回避する。このため、本発明のマッピング機能、同期交換機能、および再組み立て機能は、信号タイミングを保存するように機能する。
【００４４】
一般に、本明細書で説明するとおり、Ｇ．モデム標準を使用して、ＳＴＳ１／ＶＣ４信号は、それぞれのＳＴＳ１／ＶＣ４信号が、ネットワークを伝送される際、ネットワーク要素において個々に交換され、仮想連結を介して関連付けられたＳＴＳ１／ＶＣ４信号が、異なるイグレス・ライン・カードを使用して伝送されるようになる。つまり、個々のＳＴＳ１／ＶＣ４信号は、ネットワークを通る異なるパスを伝送されることが可能であり、その結果、仮想連結された信号が再組み立てされる終端ノード上で遅延補償を要求する。
【００４５】
例えば、図１に示すとおり、ＳＯＮＥＴネットワークにおけるＯＤＵ１信号に関して、ＨＯＮＥ１１２１が、発信ネットワーク要素を含み、ＨＯＮＥ１１２６が、終端ネットワーク要素を含むものと想定されたい。既存のＧ．モデム標準を使用して、ＨＯＮＥ１１２１において生成された５１個のサブ信号が、ＨＯＮＥ１１２１とＨＯＮＥ１１２７との間の様々なパスを伝送されることが可能である。例えば、それらのサブ信号の一部は、ＨＯＮＥ１１２３を伝送されることが可能であり、それらのサブ信号の一部は、ＨＯＮＥ１１２４を伝送されることが可能であり、ＨＯＮＥ１１２７上における遅延補償の実施を要求する。残念ながら、そのような遅延補償を提供することは、極めて複雑であり、したがって、費用が高くつく。
【００４６】
本明細書で説明するとおり、一実施形態では、仮想連結された信号は、ＳＯＮＥＴ／ＳＤＨ標準の狭義での仮想連結された信号ではない。つまり、仮想連結された信号は、再組み立てのために評価されなければならない情報（例えば、特定のオーバヘッド・バイト、および類似した情報）を含まない。このため、一実施形態では、仮想連結された同期信号の再組み立ては、接続ルーティングの知識を使用して実行される。同様に、一実施形態では、仮想連結された同期信号の再組み立ては、遅延補償が要求されないという想定を使用して実行される。
【００４７】
このため、プレシオクロナス信号の交換が、ネットワーク要素にローカルに留まるマップされた、仮想連結された同期信号を使用して実行されることを確実にすることにより（すなわち、マップされた、仮想連結された同期信号は、ネットワーク要素内で生成され、終了される）、本発明は、その結果、それぞれのプレシオクロナス信号が終端させられるネットワーク要素上で遅延補償処理を実行する必要性を回避する。例えば、前述の例を続けると、図１のネットワーク１１０における本発明の実施は、終端ノードＨＯＮＥ１１２７上における遅延補償処理の必要性を回避する。
【００４８】
このため、本発明を使用して、ＯＴＮ信号は、データ・トランスペアレントであり、タイミング・トランスペアレントである仕方で、同期で交換される。つまり、データ・ストリームは、妨げられず、関連する信号タイミングは、ネットワーク同期機能、ネットワーク要素同期機能、および類似した機能のために使用されることが可能である。例えば、ＯＤＵｋ信号が、ＣＢＲ（固定ビットレート）信号（すなわち、マップされたＯＣ−Ｎ／ＳＴＭ−Ｎ信号）をトランスポートする一実施形態では、本発明は、ＣＢＲ信号全体（信号データおよび信号タイミングを含む）を保存する。このため、保存された信号タイミングは、伝送ネットワークを同期させるための源として使用されることが可能である。
【００４９】
本明細書で説明するとおり、本発明は、レガシーＳＯＮＥＴ／ＳＤＨネットワーク要素を使用するプレシオクロナスＯＴＮ信号の同期交換をサポートする。このため、本発明は、サービス・プロバイダが、サービス・プロバイダ・ネットワークにおいて既に配備されている高価なネットワーク・インフラストラクチャを置き換えることなしに、ＯＴＮトランスポート能力を利用するように既存のネットワーク容量、既存のネットワーク・サービスなどをアップグレードすることができるようにする。さらに、本発明は、既存の標準によって現在、サポートされていない（すなわち、ＩＴＵ−Ｔ  Ｇ．モデム標準によって現在、サポートされていない）、より高速の信号（例えば、ｋ＞３に関する、ＯＤＵｋ）の交換を可能にする。
【００５０】
説明する諸機能の少なくとも一部は、組み合わされて、より少ない機能要素にされてもよいことが、企図される。同様に、様々な機能が、他の機能要素によって実行されてもよいこと、または様々な機能が、様々な機能要素にわたって、異なる仕方で分散されてもよいことも企図される。例えば、ＩＰ３０１に関連する諸機能は、ＯＴＮ受信機３０２、シンクロナイザ３０４、アダプタ３０６、およびＰＯＨインサータ３０８にわたって、異なる仕方で分散されてもよく、ＥＰ３１１の一部分にわたって分散されてもよい。同様に、ＥＰ３１１に関連する諸機能も、ＰＯＨエクストラクタ３１２、アダプタ３１４、デシンクロナイザ３１６、およびＯＴＮ送信機３１８にわたって、異なる仕方で分散されてもよく、ＩＰ３０１の一部分にわたって分散されてもよい。
【００５１】
プレシオクロナス信号の同期交換を実行するためのＳＴＳ１ベースの交換（ＳＯＮＥＴに関する）およびＶＣ４ベースの交換（ＳＤＨに関する）の使用に主に関連して本明細書で説明したが、ＳＯＮＥＴ／ＳＤＨネットワークにおいてプレシオクロナス信号の同期交換を実行するために、他の様々な信号タイプが利用されることも可能であることが、当業者には理解されよう。同様に、プレシオクロナス信号の同期交換を実行するために、他の同期信号が使用されてもよい。さらに、ＯＴＮネットワークおよびＯＴＮ信号、ならびにＳＯＮＥＴ／ＳＤＨネットワークおよびＳＯＮＥＴ／ＳＤＨ信号を含む混成光ネットワークに主に関連して本明細書で説明したが、本発明は、他の様々なネットワークおよびネットワーク・トポロジにおけるプレシオクロナス信号の同期交換のために使用されてもよいことが、当業者には理解されよう。
【００５２】
図４は、本明細書で説明する諸機能を実行する際に使用するのに適した汎用コンピュータの高レベル・ブロック図を示す。図４に示すとおり、システム４００は、プロセッサ要素４０２（例えば、ＣＰＵ）と、メモリ４０４、例えば、ＲＡＭ（ランダム・アクセス・メモリ）および／またはＲＯＭ（読み取り専用メモリ）と、スイッチング・モジュール４０５と、様々な入出力デバイス４０６（例えば、テープ・ドライブ、ハード・ディスク・ドライブまたはコンパクト・ディスク・ドライブ、受信機、送信機、出力ポート、およびユーザ入力デバイスを含むが、以上には限定されないストレージ・デバイス）とを含む。
【００５３】
本発明は、ソフトウェアで、かつ／またはソフトウェアとハードウェアの組み合わせで、例えば、ＡＳＩＣ（特定用途向け集積回路）、汎用コンピュータ、または他の任意のハードウェア均等物を使用して実施されることが可能であることに留意されたい。一実施形態では、このスイッチング・モジュールまたはスイッチング・プロセス４０５は、メモリ４０４に読み込まれ、プロセッサ４０２によって実行されて、前述した諸機能を実施することが可能である。このため、本発明のスイッチング・プロセス４０５（関連するデータ構造を含む）は、コンピュータ可読媒体またはコンピュータ可読キャリア、例えば、ＲＡＭメモリ、磁気ドライブもしくは磁気ディスケット、または光ドライブもしくは光ディスケットなどの上に格納されることが可能である。
【００５４】
本発明の教示を組み込む様々な実施形態を図示し、本明細書で詳細に説明してきたが、当業者は、これらの教示を依然として組み込む、他の多くの様々な実施形態を容易に考案することができる。
【図面の簡単な説明】
【００５５】
【図１】通信ネットワーク・アーキテクチャを示す高レベル・ブロック図である。
【図２】図１に示される混成光ネットワーク要素を示す高レベル・ブロック図である。
【図３】光トランスポート・ネットワーク・ライン・カードを示す高レベル・ブロック図である。
【図４】本明細書で説明される諸機能を実行する際に使用するのに適した汎用コンピュータを示す高レベル・ブロック図である。
【図１】
2008539662.tif 000003
【図２】
2008539662.tif 000004
【図３】
2008539662.tif 000005
【図４】
2008539662.tif 000006
【国際調査報告】
2008539662.tif 000007
2008539662.tif 000008